Podtech/llm-jp-corpus-v4-ja_patent huggingface dataset:
(57)【要約】      （修正有）【課題】頭皮のつっぱり感をなくし、少ない髪の方でもしっかり止まり、かつらの浮きがなく、高齢者でも簡単に容易な力で取り外しできるピンを提供する。【解決手段】かつらの大きさにより調節できる金属製又は、合成樹脂からなる長方形の外枠を有する反転基体と中央部分の前後に櫛歯部分を作り、中央櫛歯根元部分に水平部を設けて、一定の髪を通す事で少ない髪の方でもしっかり止まる。自髪の流れに逆らう事なく止めるので、髪や頭皮につっぱり感や痛みをなくし、かつらのずれる心配がない。長方形の外枠を有する事で、容易な力で取り外しが出きるようにした。【選択図】図２
0003162893.tif 000002
【実用新案登録請求の範囲】
【請求項１】
金属製又は合成樹脂からなる、長方形の外枠を有する反転基体の中央部分に前後下方向に複数の櫛歯部分を形成し、その中央櫛歯根元延長線上に一定の髪を通す事で自然に止まる水平部分を設けた事を特徴とし、その延長線上にハの字状の櫛歯ラインを複数個形成し、先端部分は、頭皮を傷つけないように頭皮に対して平行する部分を設けた湾曲反転有する基体を一体成形した、かつらの装着ピンであって、櫛歯部分延長線上の反転有する基体の左右外枠部分を親指・人差し指・中指の三本の指で固定し、櫛歯部分を前後に自毛に差し込み櫛歯状先端をバネの力を利用し着用ゴム部分に圧接させて装着するかつらの装着ピン。
【請求項２】
金属製又は合成樹脂からなる、長方形の外枠を有する反転基体をかつらの形状及び大きさによって、長さや形状を調節出きるようにした事を特徴としたかつら装着ピン。
【考案の詳細な説明】
【考案の詳細な説明】
【技術分野】
【０００１】本考案は、かつらや髪飾りを自髪に止める為の装着ピンに関する物である
【背景技術】
【０００２】従来の技術は、自髪の流れに対して逆方向から櫛歯部分を差し込み、バネ板を反転させ止める外側から内側への一方向からの止め方のピン（１）か、櫛歯を左右対象に設け左右を通る髪を中央部にてセットピンで固定する方法（２）などがあるが（１）の場合、髪の流れに対して逆方向の止め方で、髪につっぱり感があったり抜け毛などの心配があった。又ピン自体の長さが短い為、ピンを装着する時、ピンを固定する親指の厚みがピンを開いた櫛歯の厚みより大きい為、かつら自体が浮きやすい欠点があった。（２）の場合は、装着したい場所からずれたり、中央部を通った髪をセットピンで固定する時にピンの先端が頭皮にあたり痛みがあったり、髪をはさむ量が少ない為に安定した止まり方が出来なかった。
【考案の開示】
【考案が解決しようとする課題】
【０００３】頭皮のつっぱり感をなくし、少ない髪の方でもしっかり止まる。かつらの浮きがなく、高齢者でも簡単に容易な力で取り外しできるピンがなかった。
【課題を解決する為の手段】
【０００４】本考案は、かつらの大きさにより長さ・形状を調節できる金属製又は合成樹脂からなる長方形の外枠を有する反転基体の中央部にある前後の櫛歯を自髪に差し込み、前後に移動させることで少ない髪の方でもしっかり止まり、頭皮のつっぱり感や痛みがなく、かつら自体の浮きをなくす事ができる。又かつら自体の大きさに合わせて、ピン本体の外枠を調節でき、中央櫛歯より外枠を長くすることで、かつらを装着する時の親指と頭皮の間隔が櫛歯部分と頭皮の厚みより大きい為、装着ピンと頭皮の密着度が増し、かつらの浮きがなく安定した止まり方でしっかり止まる。又、中央櫛歯ラインより外枠を長くすることで高齢者でも容易な力で取り外しできるように工夫し問題点を解決するものである。
【考案の効果】
【０００５】請求項１
本考案により装着ピンの中央櫛歯根元延長部の水平部分に一定の髪の量を通すことで、装着ピンが自然に止まる事ができる。櫛歯を前後に作る事で、髪の少ない方でもしっかり止まり、自髪の流れに抵抗なく止める為、髪のつっぱり感や痛みをなくした。
【０００６】請求項２
本考案により装着ピンの外枠部分をかつらの大きさにより長さや形状を調節できる。中央櫛歯ラインより外枠を長くすることで高齢者でも容易な力で取り外しできるようになり、かつらを装着する時の親指と頭皮の間隔が櫛歯部分と頭皮の厚みより大きい為、装着ピンと頭皮の密着度が増し、かつらの浮きがなく安定した止まり方でしっかり止まる。
【考案を実施する為の最良の形態】
【０００７】図面を参照して本考案の実施の形態を説明する。金属製又は、合成樹脂からなる長方形（１）の外枠を有する反転基体の中央部分に前後下方向に複数の櫛歯部分（２）を形成し、中央櫛歯根元部分延長線上に一定の髪を通す事で自然に止まる水平部分（３）を設け、その延長線上にハの字状の櫛歯ラインを複数個形成し（４）先端部分は、頭皮を傷つけないように頭皮に対して平行する部分（５）を設けた湾曲反転有する基体を一体成形した、かつら装着ピンであって、長方形の外枠を有する反転基体には、複数のネット縫合穴（６）があり、左右の外枠部分を親指・人差し指・中指の三本で固定し、櫛歯部分を前後に自毛に差し込み、櫛歯状先端部分をバネの力を利用し着用ゴム（７）部分に圧接させて装着するかつら装着ピンである。
【符号の説明】１  反転基体を有する長方形の外枠
２  櫛歯部分
３  櫛歯根元延長水平部分
４  水平部分延長のハの字状櫛歯ライン
５  櫛歯先端の頭皮水平部分
６  ネット縫合穴
７  着用ゴム
【図面の簡単な説明】
【図１】は、本考案の拡大平面図
【図２】は、本考案の拡大斜面図
【図３】は、本考案の櫛歯を開いた状態のＡ〜Ａ′の拡大断面図
【図４】は、本考案の櫛歯を閉じた状態のＡ〜Ａ′の拡大断面図
【図５】は、本考案の外枠の長さを変えた形状変化の拡大平面図
【図１】
0003162893.tif 000003
【図２】
0003162893.tif 000004
【図３】
0003162893.tif 000005
【図４】
0003162893.tif 000006
【図５】
0003162893.tif 000007
【手続補正書】
【提出日】平成22年6月30日(2010.6.30)
【手続補正１】
【補正対象書類名】実用新案登録請求の範囲
【補正対象項目名】全文
【補正方法】変更
【補正の内容】
【実用新案登録請求の範囲】
【請求項１】
金属製又は合成樹脂からなる、長方形の外枠を有する反転基体の中央部分に前後下方向に複数の櫛歯部分を形成し、その中央櫛歯根元延長線上に一定の髪を通す事で自然に止まる水平部分を設けた事を特徴とし、その延長線上にハの字状の櫛歯ラインを複数個形成し、先端部分は、頭皮を傷つけないように頭皮に対して平行する部分を設けた湾曲反転有する基体を一体成形した、かつらの装着ピンであって、櫛歯部分延長線上の反転有する基体の左右外枠部分を親指・人差し指・中指の三本の指で固定し、櫛歯部分を前後に自毛に差し込み櫛歯状先端をバネの力を利用し着用ゴム部分に圧接させて装着するかつらの装着ピン。
【請求項２】
金属製又は合成樹脂からなる、長方形の外枠を有する反転基体の着用ゴムを装着した上下部分の外枠の長さを変える事で、かつらの大きさに対応して、かつらの装着ピンを長方形又はひし形に形状変化させた事を特徴とする請求項１記載のかつらの装着ピン。
(57)【要約】      （修正有）【課題】厚みを保つことができ、鼻緒が緩んでもつま先方向から簡単な作業で調節しなおしができる布ぞうりを提供する。【解決手段】パイプ状からなる複数の編み芯と、編み芯同士の隙間に編みこんだ布具からなる土台と、鼻緒布を備え、土台は足にあわせた形状に形成し、土台の複数の編み芯を編み芯より一回り細い部品で接合し、土台の編み布の編み目の間に鼻緒布をかかと方向からつま先方向へ編みこんである。【選択図】図１
0003162899.tif 000002
【実用新案登録請求の範囲】
【請求項１】
パイプ状部品を編み芯に使用し、鼻緒はつま先方向から簡単に調節できるすげ方を特徴とする布ぞうり。
【考案の詳細な説明】
【技術分野】
【０００１】
本考案は、パイプ状になった部品を編み芯に使った布ぞうりに関するものである。
【背景技術】
【０００２】
昔からあるわら草履の編み方を元にした室内履き用の布ぞうりが普及されている。
【０００３】
編み芯がロープなどひも状の物を使用する場合が多く、編み方や鼻緒のすげ方も昔ながらのわら草履に準じているものが多い。そのため、履いているうちにぞうりの厚みが薄くなったり、履いているうちに緩んだ鼻緒の調節をする場合も手間がかかるという欠点があった。
【先行技術】
【０００４】
従来の布ぞうりの編み芯はひも状の物を使用するため、履いているうちに厚みが薄くなってしまい、使用感が損なわれるが、編み芯にパイプ状の物を使用することにより、ぞうりの厚みを保つことができる。また、編み芯をパイプ状にすることに伴い、編み終わりの処理方法もひも状の物を結び合わせる方法から、パイプ状の編み芯を、編み芯より一回り細いパイプ状部品でつなぎあわせる方法を考案。それに伴い、新しい鼻緒のすげ方を考案した。この鼻緒のすげ方により、履いているうちにゆるんだ鼻緒を調節する際、従来の鼻緒のすげ方より簡単な作業でつま先方向より調節できるようになった。これらの事は、布ぞうりの耐久性・機能性・利便性・使用感を向上させることになる。
【考案の概要】
【考案が解決しようとする課題】
【０００５】
従来の布ぞうりの場合、編み芯にひも状の物を使用するため、布ぞうりを履いているうちに厚みが薄くなったり、編み方が昔ながらのわら草履に準じているものが多いため、鼻緒が緩んだ時に調節するのが面倒という、耐久性・機能性・利便性・使用感について問題があるという点である。
【課題を解決するための手段】
【０００６】
この改善策として、編み芯にパイプ状になった部品を使用する方法がある。それに伴い鼻緒のすげ方も従来のものとは違うすげ方にしなければならないため、鼻緒も調節しやすいすげ方を考案。図１は例として、編み芯にナイロンのパイプ状になった部品を使用し、タオル布を切って折り、縫い合わせたものを編み芯に編みこんだものであり、ナイロンのパイプ状部品同士を結び合わせることが出来ないため、一回り細いナイロンのパイプ状部品を使用して留める方法の説明図である。図２は、鼻緒をすげる方法についての説明図である。図３は、図１で例として使用したナイロンのパイプ状部品の説明図である。図１・図３で説明した素材はあくまで一例であり、パイプ状部品の素材はナイロンに限るものではない。ゴム製やその他のパイプ状部品でも使用できる。また、布の素材もタオル地以外の布でも使用できる。
【考案の効果】
【０００７】
本考案の布ぞうりは、布ぞうりの厚みを保つことができ、鼻緒が緩んでもつま先方向から簡単な作業で調節しなおしができるという利点がある。
【図面の簡単な説明】
【０００８】
【図１】図１は布ぞうりの編み芯を編み終わりに留める方法の説明図である。例として、編み芯はナイロン素材のパイプ状部品を使用、編み布はタオル素材を使用。１〜４は同じ太さのナイロンのパイプ状部品、５・６は１〜４より一回り細いナイロンのパイプ状部品。（実施例１）
【図２】図２は鼻緒のすげ方の説明図である。（実施例２）
【図３】１７は、使用した編み芯のパイプ、１８は使用した編み芯同士をつなぎとめるパイプの説明である。（実施例３）
【考案を実施するための形態】
【０００９】
編み芯にパイプ状部品を使用し、鼻緒は調節しやすい独自のすげ方にすることにより、耐久性・機能性・利便性・使用感の向上を実現した。
【実施例１】
【００１０】
編み芯にパイプ状部品を使用するため、端編みを除く部分の編み終わりに部品同士を結び合わせることができない。従って図１のような留め方が必要となる。図１の１と２に５を、３と４に６を差し込み接着剤で固定する。パイプ状部品を使用することにより布ぞうりの厚みを保つことができる。
【実施例２】
【００１１】
図２の実施例は、かかとからつま先方向に鼻緒をすげている説明図である。図２の７〜１６の順番にぞうりの土台部分の編み目に鼻緒を編みこんで鼻緒をすげていく（９の点線部分はぞうりの裏を通っている）。７は鼻緒を表から裏方向に差し込み、８で裏から表方向に鼻緒を土台に巻きつけ、再び裏方向に通す。９で鼻緒を右方向にひっぱり、１０で裏から表方向に鼻緒を出して、表から裏方向に鼻緒を土台に巻きつけ、再び表に引っ張り出し、１１で鼻緒を上方向に出す。１２で左右の鼻緒を交差させ、１３で裏方向に引っ張り出し、１４で裏から表方向に鼻緒を出し、再び鼻緒を表から裏方向に土台にまきつける。１５で裏から表に引っ張り、再び裏方向に引っ張る。１６で、鼻緒の残り部分を土台の編み目に入れ込む。履いているうちに鼻緒が緩んできた際に鼻緒の調節をする場合、図２の１６・１５・１４の部分をほどいて調節することができる。つま先方向からほどいて簡単に調節できる。
【実施例３】
【００１２】
図３の実施例は、図１で使用した編み芯のパイプ状部品（図１の１・２・３・４）と編み芯のパイプ同士をつなぎとめる編み芯より一回り細いパイプ状部品（図１の５・６）の直径の説明である。長さについては、布ぞうりのサイズにより変動する。素材については、例としてナイロン素材を使用しているが、これに限らない。パイプ状部品の直径についても、この太さに限らない。
【符号の説明】
【００１３】
１〜４    編み芯にするパイプ状部品
５・６    １〜４より一回り細い、編み芯をつなぎ合わせるためのパイプ状部品
７〜１６    鼻緒をすげる順番を表す
１７    使用した編み芯に使用するナイロンのパイプ状部品
１８    使用した編み芯をつなぎ合わせるためのナイロンのパイプ状部品
【図１】
0003162899.tif 000003
【図２】
0003162899.tif 000004
【図３】
0003162899.tif 000005
【手続補正書】
【提出日】平成22年7月20日(2010.7.20)
【手続補正１】
【補正対象書類名】実用新案登録請求の範囲
【補正対象項目名】全文
【補正方法】変更
【補正の内容】
【実用新案登録請求の範囲】
【請求項１】
パイプ状からなる複数の編み芯と、編み芯同士の隙間に編みこんだ布具からなる土台と、鼻緒布を備え、土台は足にあわせた形状に形成し、前記土台の複数の編み芯を編み芯より一回り細い部品で接合し、土台の編み布の編み目の間に鼻緒布をかかと方向からつま先方向へ編みこんであることを特徴とする布ぞうり。
(57)【要約】      （修正有）【課題】回転運動を極めて効率良く推進力に変換するスクリュー部材を提供する。【解決手段】カタツムリ型をしたケーシングと、ケーシング内に設置した縦方向に設置したプロペラからなる。【選択図】図１
0003162872.tif 000002
【実用新案登録請求の範囲】
【請求項１】
ケーシング（１）の形状が開口部（３）を有するカタツムリ型であることを特徴とする船舶の遠心ポンプ式スクリュー部材
【請求項２】
遠心力により推進水流（４）を発生するプロペラ（２）を水中に埋没させ且つ［請求項１］記載のケーシング（１）内に縦方向に設置したことを特徴とする［請求項１］記載の船舶の遠心ポンプ式スクリュー部材
【請求項３】
［請求項２］記載のプロペラ（２）が外縁部に向かって回転方向と反対方向に滑らかに腕曲していることを特徴とする［請求項１］記載の船舶の遠心ポンプ式スクリュー部材
【考案の詳細な説明】
【技術分野】
【０００１】本考案は船舶の推進装置として、遠心ポンプを利用する場合のケーシングの形状に関する。
【背景技術】
【０００２】従来のスクリュー部材として、ウオーター・ジェット等があるが、スクリューは船体の進行方向に垂直であり、推進力の効率の改善の余地が有った。
【考案の開示】
【考案が解決しようとする課題】
【０００３】本考案の課題は、スクリュー部材の形状と構造を考案することにより、スクリューの回転を極めて効率良く、推進力に変換することを目的としている。
【課題を解決するための手段】
【０００４】スクリュー部材に遠心ポンプを応用することにより、ケーシングの形状を開口部を有するカタツムリ型とし、そのケーシングの内部に、プロペラを縦方向に設置することによる。
【考案の効果】
【０００５】回転運動を極めて効率良く推進力に変換するスクリュー部材を提供することができる。
【考案を実施するための最良の形態】
【０００６】ケーシングの中心部位の吸水口と、後方に向かって推進流を吐出するための開口部とを有するカタツムリ型のケーシングと、その内部に、進行方向と同一面上で回転するプロペラを設置する。プロペラは外縁部に沿って腕曲させる。
【実施例】
【０００７】本考案の好ましい実施例を述べる。
ケーシング（１）がカタツムリ型をしていることにより、推進水流（４）を後方に吐出するプロペラ（２）を、船体（６）の進行方向（５）と同一面上で回転するように、縦方向に設置することができる。
従って、従来の、船体（６）の進行方向（５）に垂直な、横方向に設置されたスクリューよりも、効率良く、開口部（３）より推進水流（４）を後方に吐出し、強い推進力を得ることができる。
また、プロペラ（２）を外縁部に沿って回転方向と反対方向に腕曲させることにより、ケーシング（１）の中心部位の吸水口より流入した水は、ケーシング（１）内の外縁部に押し出される。
【図面の簡単な説明】
【０００８】
【図１】は本考案の船舶の遠心ポンプ式スクリュー部材の横断面図である。
【図２】は本考案の船舶の遠心ポンプ式スクリュー部材の背面図である。
【符号の簡単な説明】
【０００９】（１）はケーシングである。
（２）はプロペラである。
（３）は開口部である。
（４）は推進水流である。
（５）は船舶の進行方向である。
（６）は船体である。
【図１】
0003162872.tif 000003
【図２】
0003162872.tif 000004
【手続補正書】
【提出日】平成22年5月28日(2010.5.28)
【手続補正１】
【補正対象書類名】実用新案登録請求の範囲
【補正対象項目名】請求項２及び請求項３
【補正方法】変更
【補正の内容】
【実用新案登録請求の範囲】
【請求項２】
遠心力により推進水流（４）を発生するプロペラ（２）を水中に埋没させ且つ前記プロペラ（２）を開口部を有するカタツムリ型の形状をした前記ケーシング（１）内に縦方向に設置したことを特徴とする請求項１記載の船舶の遠心ポンプ式スクリュー部材
【請求項３】
前記ケーシング（１）内に縦方向に設置した遠心力により推進水流（４）を発生する前記プロペラ（２）が外縁部に向かって回転方向と反対方向に滑らかに湾曲していることを特徴とする請求項２記載の船舶の遠心ポンプ式スクリュー部材
【手続補正書】
【提出日】平成22年7月26日(2010.7.26)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】請求項２
【補正方法】変更
【補正の内容】
【請求項２】
遠心力により推進水流（４）を発生するプロペラ（２）を水中に埋没させ且つ前記プロペラ（２）を開口部を有するカタツムリ型の形状をした前記ケーシング（１）内に縦方向に設置したことを特徴とする請求項１記載の船舶の遠心ポンプ式スクリュー部材
【手続補正２】
【補正対象書類名】手続補正書
【補正対象項目名】手続補正２
【補正方法】追加
【補正の内容】
【手続補正２】
【補正対象書類名】実用新案登録請求の範囲
【補正対象項目名】請求項３
【補正方法】変更
【補正の内容】
【請求項３】
前記ケーシング（１）内に縦方向に設置した遠心力により推進水流（４）を発生する前記プロペラ（２）が外縁部に向かって回転方向と反対方向に滑らかに湾曲していることを特徴とする請求項２記載の船舶の遠心ポンプ式スクリュー部材
(57)【要約】      （修正有）【課題】作業者に快適な操作環境を与えるべく、背面が凸曲面で構成された情報端末等を支え、該情報端末等に接続するコード及びプラグ類を収納出来る操作台を提供する。【解決手段】操作台１の中央付近に設けた凹部に該情報端末２等に接続するコード及びプラグ類を収納し、前部の立ち上がりと後部に配置した凹曲線部からなる立ち上がりで背面が凸曲面で構成された情報端末等を安定して傾斜を付けて支える。【選択図】図２
0003162878.tif 000002
【実用新案登録請求の範囲】
【請求項１】
前部に配置した立ち上がり受け部と後部に配置した凹面形状に形成した立ち上がりにより情報端末等を傾斜させて保持することを特徴とする操作台
【請求項２】
請求項１に於いて操作台本体上面に凹部を設け、該凹部に配する開口を通して情報端末等のプラグ及びケーブルを収納することを特徴とする操作台
【請求項３】
請求項１に於いて操作台本体底面に開閉可能な脚部を配置し脚部を開くことで該操作台の角度調整が可能なことを特徴とする操作台
【請求項４】
請求項１に於いて操作台本体上面全体を凹面形状に形成した事を特徴とする操作台
【考案の詳細な説明】
【技術分野】
【０００１】  本考案は、情報端末等を支える操作台に関する物である。
【背景技術】
【０００２】  従来の技術思想では、背面が平面からなる情報端末等を平面で支える操作台が存在したが、背面が凸曲面で構成された情報端末等を支えることは困難であった。
【先行技術文献】
【特許文献】
【０００３】  特許公開２００１−２４２９６０号  公報
【考案の概要】
【考案が解決しようとする課題】
【０００４】  本考案は、背面が凸曲面で構成された情報端末等を支え、該情報端末等に接続するコード及びプラグ類を収納出来る操作台を提供し、操作台の傾斜により作業者に快適な操作環境を与えることを課題とする。
【課題を解決するための手段】
【０００５】  本考案は操作台中央付近に設けた凹部に該情報端末等に接続するコード及びプラグ類を収納し、前部の立ち上がりと後部に配置した凹曲線部からなる立ち上がりで背面が凸曲面で構成された情報端末等を安定して傾斜を付けて支えることで課題を解決する。
【考案の効果】
【０００６】  情報端末等は携帯性を考慮して持ちやすさ並びに手で支えての操作性を重視して外観形状が決められる。机上で入力操作等を行う場合、本体を作業者の方向に対向させる為の操作台を使用することで操作は快適になる。情報端末等の外観形状が凸曲面から成る場合、操作台で該情報端末等を支える為には凸曲面に合わせた操作台が要求される。本考案では前部の立ち上がりで操作台の傾斜による落下を防ぎ、後部の凹曲線部又は左右の曲線部２頂点の凸部で凸曲面を受けることで該情報端末等を支える。こうして情報端末等を前部と後部で受けて安定保持し操作台に傾斜を与えることで作業者は快適に操作することが可能となる。
【図面の簡単な説明】
【０００７】
【図１】情報端末用操作台の実施例の側面図である。
【図２】情報端末用操作台に情報端末を保持した状態の実施例の側面図である。
【図３】情報端末用操作台の収納式の脚部を開いた状態の側面図である。
【図４】情報端末用操作台の実施例の俯瞰図である。
【図５】情報端末用操作台の脚部を収納した状態の裏面の俯瞰図である。
【図６】情報端末用操作台の脚部を開いた状態の俯瞰図である。
【考案を実施するための形態】
【０００８】  情報端末等の形状に追従し、滑りを防ぐ為にエラストマーや合成ゴム等の材料で操作台本体を成形する。該操作台前部には該情報端末等の滑りを受け止める立ち上がりを設ける。操作台の長さは該情報端末等の長さより短くし、後部には凹曲線形状の立ち上がりを設ける。操作台中央部にはプラグ類を収納するための凹部を設け該凹部後方にプラグ類取り込みの為の開口を開ける。該操作台底部には操作角度の調整用の収納式の脚部を回動可能に系着する。
【実施例】
【０００９】  以下、添付図面に基づいて実施例を説明する。図１は本考案の操作台１の側面図であり背面が凸曲面で構成された情報端末等を支える為に凹曲面の断面を形成する。１ａは前部立ち上がり１ｂは凹曲線形状の後部立ち上がりである。図２は操作台１で情報端末２を保持した状態を示す。【００１０】  図３は収納式の脚部３を回動支点部３ａを軸に開いた状態であり、画面閲覧の際に情報端末２を立ち上げて作業者の視認性を良好にする。【００１１】  図４は操作台１の俯瞰図であり１ｃはプラグとケーブルを収納する凹部である。１ｄは底面からプラグとケーブルを取り出す開口部である。情報端末２に接続するケーブルは溝１ｅを通す。１ｂは図のように凹曲線形状の立ち上がりである。【００１２】  図５は操作台１の裏面の俯瞰図であり１ｆはコード保持溝である。図６は操作台１の脚部３を開いた状態の背面の俯瞰図である。
【符号の説明】
【００１３】  １操作台本体
１ａ前部立ち上がり
１ｂ後部立ち上がり
１ｃプラグとケーブルを収納する凹部
２情報端末
３収納式の脚部
【図１】
0003162878.tif 000003
【図２】
0003162878.tif 000004
【図３】
0003162878.tif 000005
【図４】
0003162878.tif 000006
【図５】
0003162878.tif 000007
【図６】
0003162878.tif 000008
【手続補正書】
【提出日】平成22年7月2日(2010.7.2)
【手続補正１】
【補正対象書類名】実用新案登録請求の範囲
【補正対象項目名】全文
【補正方法】変更
【補正の内容】
【実用新案登録請求の範囲】
【請求項１】
背面が凸曲面で構成された情報端末を卓上で傾斜させて使用する為の操作台に於いて、操作台の手前側には傾斜による情報端末の滑りを止める立ち上がり２０ミリ以内の滑り止め受け部を設け、操作台の奥側には情報端末の背面の凸曲面にほぼ対応する凹曲線からなる保持部を設け、情報端末に傾斜をつける為にこの保持部を手前の滑り受け部より高い位置に配置したことを特徴とする情報端末の操作台。
【請求項２】
請求項１の操作台本体上面に凹部を設け、該凹部に配した開口を通して情報端末のプラグ及びケーブルを凹部に収納することを特徴とする請求項１に記載の操作台。
【請求項３】
請求項１の操作台本体奥側底面に開閉可能な板形状の脚部を回動可能に収納配置し、脚部を開くことで該操作台の傾斜角度を増す事が出来る請求項１に記載の操作台。
【請求項４】
請求項１の操作台の奥側の情報端末の背面の凸曲面にほぼ対応する凹曲線を含む凹曲面からなる保持部を設けたことを特徴とする請求項１に記載の操作台。
(57)【要約】      （修正有） 【課題】立位姿勢での重心移動で行うゲーム入力装置において、車いすに乗った状態でゲーム操作することを可能とし、車いすが乗れるコンパクトな広さの天板を備え、バランスを崩し難く、万一バランスを崩しても天板から転落することなく、安全で誤操作のないゲーム入力補助装置を提供する。  【解決手段】ゲーム入力補助装置は、フォースプレート型入力装置６の上に被せられ、車いすが乗れる広さを持つコンパクトな天板１を備える。車いす使用者が天板１に乗った時の重心位置は、天板の中心点より後方に偏るため、その直下に入力装置６が置けるよう、天板１裏面の中心点より後方に入力装置固定枠５を付け、表面からも位置が判るよう太線で示す。さらに、万一バランスを崩しても天板１が傾かないよう四隅に枕材３を付けるが、ゲーム中の揺れ程度では床面に触れないよう設定した、床面隙間７，８を開ける。【選択図】図３
0003162831.tif 000002
【実用新案登録請求の範囲】
【請求項１】
プレイヤーが足を乗せ行うゲーム機のフォースプレート型入力装置の上部支持面に被せる板状装置であり、車いすを乗せる広さを持つ天板を主材とし、天板底面にはフォースプレート型入力装置をはめ込むための固定用枠と四隅に天板の傾きを止める枕材を備え、天板上面には脱輪防止用の縁木を備えることを特徴とするゲーム入力補助装置。
【請求項２】
前記入力補助装置の底面側にはめ込まれたフォースプレート型ゲーム入力装置の、上部支持面の中心位置を示すために天板上面に描かれた、十字の太線を備えることを特徴とする、請求項１記載のゲーム入力補助装置。
【請求項３】
請求項１記載の天板底面四隅の枕材は、床面とは非接触で隙間を有するが、フォースプレート型ゲーム入力装置の上部支持面からせり出した天板のせり出し長さの比率に応じて、その前方床面隙間が後方床面隙間が広くなるよう設定することを特徴とする、請求項１または請求項２記載のゲーム入力補助装置。
【考案の詳細な説明】
【技術分野】
【０００１】
本考案は、ゲーム機用の入力装置に関する。  
【背景技術】
【０００２】
従来、医療的訓練や動作分析の分野で使用されていたフォースプレートが、近年はゲーム機の入力装置として利用されている。  
【０００３】
たとえば特許文献１には、４つの荷重センサを持つゲームコントローラに、足が乗る支持板を備え、人間が乗り荷重値の変化によりゲーム操作することが開示されている。
【０００４】
たとえば特許文献２には、プレイヤーが４つの圧力センサを持つボード型コントローラ上に乗り、伸び上がる動作や踏み込む動作による圧力センサの瞬間的な変化をゲームの入力方法とすることが開示されている。
【先行技術文献】
【特許文献】
【０００５】
【特許文献１】特開２００８−２６４１９５号公報
【特許文献２】特開２０１０−８２３４０号公報
【考案の概要】
【考案が解決しようとする課題】
【０００６】
しかし、特許文献１および特許文献２では健常者の立位での操作が前提であり、車いす使用者には利用できず、ゲームを楽しむことができない。車いすに乗ったまま体幹の動き等による重心の移動で操作でき、万一バランスを崩しても安全で、誤操作の少ない、ゲーム入力補助装置を提供することである。
【課題を解決するための手段】
【０００７】
立位姿勢等での重心移動で行うフォースプレート型ゲーム入力装置の上部に被せる板状装置であり、本入力補助装置の上に車いす使用者が乗り込み、車いすに乗った状態で体幹を前後左右に動かすことにより、テレビゲームの入力を可能とするゲーム入力補助装置。
【考案の効果】
【０００８】
よって、フォースプレート型ゲーム入力装置の上に被せたゲーム入力補助装置の上に、車いす使用者が乗り込み、体幹の動きにより重心を移動させゲームを楽しむことが可能となる。
【考案を実施するための最良の形態】
【０００９】
そこで、従来のフォースプレート型入力装置の上に被せることが可能な、車いすが乗れる広さを持つ天板を備えた、ゲーム入力補助装置を考案した(図１)。
【００１０】
第１の考案では、天板に十分な広さがある場合には、天板の中心点の真下にフォースプレート型入力装置6を置けるが、コンパクトに作られた天板1の場合には、車いす使用者が乗った場合、その重心は天板の中心から大車輪側（後方）に偏ることになるため、フォースプレート型入力装置6もその重心位置の真下付近で被せられるように、フォースプレート型入力装置固定用枠5を配置している。
この位置で車いすを停車すれば、車いす使用者が体幹を動かして重心位置を変化させても、フォースプレート型入力装置6の支持板から重心が外れる事がなく、安全な操作が可能となる。
【００１１】
また、第１の考案では、バランスを崩しても天板が傾きすぎないように、天板1の底面前方と後方の両側の四隅に、床面と僅かに隙間7,8をつけて床から浮いた状態で、枕材3を付けている。その他、側方への脱輪防止のため、両側に縁木をつけており、これらにより、転倒しにくい入力補助装置を提供できる。
【００１２】
第２の考案では、車いす使用者にフォースプレート型入力装置6の位置が判るよう、天板表面に十字の太線4を引いている。これにより、車いす使用者が天板1の上に乗っても、２本の太線で入力装置6の位置を確認でき、容易に車いす使用者の重心位置を合わせて停車させることができる入力補助装置を提供できる。
【００１３】
ゲーム実施中に枕材3が床面に接触すると、フォースプレート型入力装置6にかかる重量が急変し、ゲームの継続が不能となるため、ゲーム操作の揺れ程度では枕材が床面に付かないようにわずかに隙間を開けている。天板1は車いす使用者が乗ったり体幹を動かしたりすることでたわみや揺れが生じ、その量は入力装置6からのせり出し量に応じて増える為、床面との隙間7,8が同じであれば、せり出し量の多い前方の枕材が床面に触れてしまうことになる。
第３の考案では、前方床面隙間7および後方隙間8は前方後方へのせり出し量の比となるように、前方床面隙間7を大きく設定し、前方床面接触によるゲーム中断を低減した入力補助装置を提供できる。
【図面の簡単な説明】
【００１４】
【図１】本考案に係るゲーム入力補助装置の外観図である。
【図２】従来のフォースプレート型入力装置の外観図である。
【図３】従来のフォースプレート型入力装置に、本考案のゲーム入力補助装置を被せた時の側面図である。
【符号の説明】
【００１５】
１  天板
２  縁木
３  枕材
４  フォースプレート型入力装置の天板下での固定位置を示す太線
５  フォースプレート型入力装置固定用枠
６  フォースプレート型入力装置
７  前方床面隙間
８  後方床面隙間
【図１】
0003162831.tif 000003
【図２】
0003162831.tif 000004
【図３】
0003162831.tif 000005
(57)【要約】      （修正有）【課題】物体がはっきり見える視覚上の効果が得られ、かつ目の筋の緊張を緩和することのできる目視補助シールを提供する。【解決手段】滑らかな面に貼着可能なシートに複数の目視孔を形成して目視補助シールを構成する。目視補助シールは、眼鏡に応用する場合は、眼鏡の左右レンズに貼着するため、目視補助シール１１、１２の２枚用いる。もしくは片眼鏡のように一枚のレンズを用いる場合は、目視補助シール２１に、パッド２２、２３を用いる。目視補助シール１１、１２、２１及びパッド２２，２３は、台紙１上に貼り、使用時に剥離させてレンズに貼着する。【選択図】図１
0003162806.tif 000002
【実用新案登録請求の範囲】
【請求項１】
滑らかな面に貼着可能なシートに複数の目視孔を形成してなることを特徴とする目視補助シール。
【請求項２】
前記目視補助シールが眼鏡のレンズに貼着されることを特徴とする請求項１に記載の目視補助シール。
【請求項３】
前記目視補助シールの上下端に、眼窩の上下端に当接するパッドを貼着することを特徴とする請求項１に記載の目視補助シール。
【請求項４】
前記目視補助シールが静電気処理を施し粘着可能にしてなることを特徴とする請求項１に記載の目視補助シール。
【考案の詳細な説明】
【技術分野】
【０００１】
この考案は、目鏡のレンズなどに貼着して、目鏡のレンズを介して目視する場合に補助効果を与える目視補助シールに関する。
【背景技術】
【０００２】
目下、人は目を使いすぎる。長時間にわたる照明の下での目の使用、目の使用時間、物を見るときの角度、距離、姿勢、そしてこれらの変化によって、近視、遠視などの病的な異常現象が発生する。かかる現象は光の屈折を生後する毛様体筋などの収縮の異常と血液の循環不良などに起因し、結果として、その変形、硬化などによって網膜に像を正確に投射することができなくなる。
【０００３】
近視であろうと、遠視であろうと、極度に異常現象が進まないかぎり、正常な生活に影響を与えない。視覚上見えるものが変化することはない。軽い近視であれば、どうしても必要でない限りは目鏡をかける必要はない。目鏡をかけることは、生活上において不便なときがある。
【０００４】
視覚の焦点を集中させれば、目に対する刺激を現象させることができ、同時に目の筋の訓練にもなる。しかし、従来の目鏡は、目の屈折異常を補正する作用を有するが、視覚の焦点を集中させるための補助となる機能を有しない。
【考案の概要】
【考案が解決しようとする課題】
【０００５】
この考案は、物体がはっきり見える視覚上の効果が得られ、かつ目の筋の緊張を緩和することのできる目視補助シールを提供することを課題とする。
【課題を解決するための手段】
【０００６】
そこで、本考案者は、従来の眼鏡と、近視、遠視などの病的な異常現象との関係などについて鋭意研究を重ねた結果、滑らかな面に貼着可能なシートに複数の目視孔を形成してなる目視補助シールによって課題を解決できる点に着眼し、かかる知見に基づいて本考案を完成させた。
【０００７】
以下、この考案について具体的に説明する。
請求項１に記載する目視補助シールは、滑らかな面に貼着可能なシートに複数の目視孔を形成してなる。
【０００８】
請求項２に記載する目視補助シールは、請求項１における目視補助シールが眼鏡のレンズに貼着されることを特徴とする。
【０００９】
請求項３に記載する目視補助シールは、請求項１における目視補助シールの上下端に、眼窩の上下端に当接するパッドを貼着する。
【００１０】
請求項４に記載する目視補助シールは、請求項１における目視補助シールが静電気処理を施し粘着可能にしてなる。
【００１１】
請求項５に記載する目視補助シールは、請求項３における目視補助シールとパッドが静電気処理を施してなる。
【図面の簡単な説明】
【００１２】
【図１】この考案による目視補助シールの平面図である。
【図２】この考案による目視補助シールの使用態様を示した説明図である。
【図３】この考案による目視補助シールの他の使用態様を示した説明図である。
【考案を実施するための形態】
【００１３】
この考案は、物体がはっきり見える視覚上の効果が得られ、かつ目の筋の緊張を緩和することのできる目視補助シールを提供するものであって、滑らかな面に貼着可能なシートに複数の目視孔を形成してなる。かかる目視補助シートの特徴を説明するために、具体的な実施例を挙げ、図面を参照にして以下に詳述する。
【実施例】
【００１４】
図１に開示するように、この考案による目視補助シールは、眼鏡に応用する場合は、眼鏡の左右レンズに貼着するため、目視補助シール１１、１２の2枚用いる。もしくは片眼鏡のように一枚のレンズを用いる場合は、目視補助シール２１に、パッド２２、２３を用いる。
【００１５】
目視補助シール１１、１２、２１及びパッド２２，２３は、台紙１上に貼り、使用時に剥離させてレンズに貼着する。  
【００１６】
台紙１は静電気処理を施し、静電気の作用を応用した接着剤を使わずに貼れるようにする。即ち、プラスチック粒子に所定の粘度比、または静電気を有する酢酸ビニル、もしくはポリ塩化ビニルを混合する。このため、台紙１から剥離させた目視補助シール１１、１２、２１及びパッド２２、２３は、ガラス、金属などの滑らかな表面に粘着することができる。
【００１７】
目視補助シール１１、１２、２１には複数の目視孔３１を形成する。
【００１８】
使用する際には、図２に開示するように眼鏡のレンズに貼着する。目視孔３１は、目の入射光の視覚の位置を平行にする。よって光線が集中し、物体がはっきり見える。また、瞳孔に入射する光はあらゆる方向から来る。このため瞳孔が大きく開く。目視孔３１の作用によって視覚がはっきりとして、物体を拡大しえ見ているような感じがする。
【００１９】
目視孔３１を複数設けることによって、周りの光線が適度に入射し、目視孔３１から直接見える物体以外も見えるようになる。このため、目視孔３に光が集中して目に違和感を感じることがなくなる。
【００２０】
図３に開示するように、目視補助シール２１を使用する場合、パッド２２、２３を目視補助シール２１の上下端に貼着する。パッド２２、２３は、眼窩の上下端に当接して、目視補助シールと目の間に、目視のための適宜な距離を保持する作用を有する。
【００２１】
目視補助シール１１、１２、２１及びパッド２２、２３は静電気の作用を応用して粘着させる。よって、使用しない場合は、車両の窓ガラス、携帯電話機などに貼っておきことができる。よって、携帯に便利である。
【００２２】
この考案による目視補助シールは、視覚が目視孔３１から得られる。よって、軽度の近視の者が使用した場合、視覚神経と目の筋を効率よく矯正する作用が得られ、近視の度数が高まることを抑制する効果が得られる。  
【符号の説明】
【００２３】
１                        台紙
１１、１２、２１        目視補助シール
２２、２３                    パッド
３１                                目視孔
【図１】
0003162806.tif 000003
【図２】
0003162806.tif 000004
【図３】
0003162806.tif 000005
(57)【要約】      （修正有）【課題】事務机の引出しに収納したバインダーが横崩れしないようにする装具を提供する。【解決手段】従来の仕切板１に代わり、ワイヤー２によりバインダーを固定する。バインダーはワイヤー２に吊るして収納する。このワイヤー２は左右の壁面に既に装着されている従来の仕切板固定溝に通してワイヤー２の両端を固定する。ワイヤー２に吊るされたバインダーは絶対に横崩れすることはない。またワイヤー２は過大に太い必要はなく邪魔にならない。【選択図】図１
0003162884.tif 000002
【実用新案登録請求の範囲】
【請求項１】
事務机の引出しの左右方向にワイヤーを張り、その張られたワイヤーにバインダーを吊り下げて保管することによりバインダーが横崩れしにくくなる仕組みを特徴とする。
【請求項２】
ワイヤーは引出しの両壁面の上端に引っ掛けることにより、簡単に取り外しができる構造とする。
【考案の詳細な説明】
【技術分野】
【０００１】本発明は事務机の引出しに収納するバインダーを固定させる方法に関する。
【背景技術】
【０００２】事務机の引出しに収納するバインダーは、図１のように引出しの左右に取り付けられている仕切板固定溝３により固定された仕切板１により区分けをして収納される。またこの仕切版１はバインダーが横崩れするのを横から支えて防止する機能も兼ね備えている。この仕切板１は仕切板固定溝３に一定間隔で多くの溝が掘られていることから、自由に装着する場所を変えられる。
【考案が解決しようとする課題】
【０００３】しかし収納するバインダーの数が少量の場合は仕切板１による横崩れ防止効果は発揮しなくなる。また分厚いバインダーに少量しか書類が綴じられていない場合は下方が肉細で上方が肉厚になるため、すぐに横崩れする。つまり逆三角形の状態のバインダーを仕切板で立て掛けるには無理が生ずる。横崩れしたバインダーが隣のバインダーに覆いかぶさり、引出しを開けたとき目的とするバインダーが容易に見つからないという不便があった。
【課題を解決するための手段】
【０００４】バインダーが横崩れするのを、バインダーの側面から支えて防止するのではなく、バインダーをワイヤー２に吊り下げることにより防止する。ワイヤー２は、事務机の引出しの側面壁にフック４で取り付ける。つまりワイヤー２は引出しの幅の長さであり両端にフック４が固定されている。このフック４を引出しの任意の場所に引っ掛けることができる。また引出しに当該ワイヤーを複数取り付けることができる。バインダーは、このワイヤーに吊り下げて収納する。
【考案の効果】
【０００５】請求項１の発明によればバインダーは自身の重みで横方向に崩れる、もしくは傾くことは決してなく、引出し内は常に整然とした状態を保つことができる。また従来の仕切板のようにかさばることもない。引出しの構造も従来の仕切板を保持するための仕切板固定溝３も不要になり非常にシンプルになる。一方請求項２の発明はフック４を任意の場所に固定できるため、分厚いバインダーと細身のバインダーが混在しても最適な場所にワイヤー２を固定できる。
【図面の簡単な説明】
【図１】従来の構造
【図２】解決手段の全体図
【図３】ワイヤーの固定
【図４】ワイヤーの構造
【図５】ワイヤーに吊るしたバインダー
【符号の説明】１…仕切板
２…ワイヤー
３…仕切板固定溝
４…フック
【図１】
0003162884.tif 000003
【図２】
0003162884.tif 000004
【図３】
0003162884.tif 000005
【図４】
0003162884.tif 000006
【図５】
0003162884.tif 000007
【手続補正書】
【提出日】平成22年6月28日(2010.6.28)
【手続補正１】
【補正対象書類名】実用新案登録請求の範囲
【補正対象項目名】全文
【補正方法】変更
【補正の内容】
【実用新案登録請求の範囲】
【請求項１】
事務机の引出しの左右方向にワイヤーを張り、その張られたワイヤーにバインダーを吊り下げて保管することによりバインダーが横崩れしにくくなる仕組みを備えた、引出し内のバインダーが横崩れすることを防止する装具。
【請求項２】
ワイヤーは引出しの両壁面の上端に引っ掛けることにより、簡単に取り外しができるようにした、請求項１に記載の引出し内のバインダーが横崩れすることを防止する装具。
(57)【要約】      （修正有）【課題】開栓後に残量を目視で把握することができる目盛り付紙パックを提供する。【解決手段】紙パックを縦長に切り抜き、紙パックの内側から目盛り板３をはめ込み強力な接着剤で接合し、目盛り板３の内側上部と下部の２箇所に浮き用通水口７を有し、内部に指標浮き球５を有する。【選択図】図１
0003162886.tif 000002
【実用新案登録請求の範囲】
【請求項１】
従来より使用されている紙パックを縦長に切り抜き、紙パックの内側から目盛り板３をはめ込み強力な接着剤で接合する、目盛り板３を有する特徴をもつ目盛り付紙パック。
【請求項２】
目盛り板３と紙パック内部の飲料水との通水を確保するため、目盛り板３の内側上部と下部の２箇所に浮き用通水口７を有する特徴をもつ［請求項１］に記載する目盛り付紙パック。
【請求項３】
紙パック内部の飲料水が減量するたびに、指標浮き球５が紙パック外側に設けた目盛り印字６の位置で止まり正確な残量が目視できるよう、目盛り板１内部に指標浮き球５を有する特徴をもつ［請求項１］に記載する目盛り付紙パック。
【考案の詳細な説明】
【技術分野】
【０００１】  本考案は、従来より使用されている２０００ｃｃ紙パック入り酒類などの紙パック本体に目盛り板を装着して透明性のある容器にし、残量把握など利便性の向上を図ろうとする紙パックに関する技術である。
【背景技術】
【０００２】  従来より使用されている２０００ｃｃ紙パック入り酒類などの紙パックにおいては、開封した後の残量把握が困難であり、一升瓶入り酒類などについては、透明性の容器なので残量が一目瞭然である、紙パック入りの場合、毎日の晩酌或いは健康管理のために一定量の飲酒をする人たちにとっては残量が少々気になるものである、居酒屋などの店舗でキープされる酒類の大半が瓶入りである事実がそれらの事情を証明するようなものでありそれらの事情を解消するために、紙パック本体に目盛り板を装着して透明性のある容器にし、いちいち持ち上げて残量を確かめなくてもいいように、利便性の向上を図ろうとするものである。
【先行技術文献】
【特許文献】
【０００３】
【特許文献１】  無し
【考案の概要】
【考案が解決しようとする課題】
【０００４】  従来より使用されている２０００ｃｃ入り等の紙パックを開栓した後の、残量を目視できるようにすること。
【課題を解決するための手段】
【０００５】  本考案の目盛り板３は、透明性のあるプラスチック・ビニール・ガラス系を材質とし、従来より使用されている紙パックを縦長に切り抜き、紙パックの内側から目盛り板３をはめ込み強力な接着剤で接合する、外側から見た目盛り板の全体は、特に透明性が高い材質とし、それ以外の目盛り板接着部４については透明性は必要としていない、目盛り板３の内側上部と下部の２箇所に浮き用通水口７を設け、紙パック内部の飲料水との通水を確保する、紙パック内部の飲料水が減量するたびに目盛り板１内部に配置した指標浮き球５が作動し、紙パック外側に設けた目盛り印字６の位置で止まり、残量を目視できる。
【考案の効果】
【０００６】  目盛り板３の内側上部と下部の２箇所に設けた浮き用通水口７の効果により、紙パック内部の飲料水が減量するたびに、指標浮き球５が作動し目盛り印字を指すので正確な残量位置を目視でき、紙パック内の残量把握が容易にできるようになった。
【図面の簡単な説明】
【０００７】
【図１】  既存の紙パックの正面図・断面図・目盛り板装着の正面図
【図２】  既存の紙パックの正面図・目盛り板装着の詳細断面図・
【図３】  目盛り板本体の断面図・正面図・正面断面図・背面図・背面断面図
【考案を実施するための形態】
・
【実施例】
【０００８】  ［図２］が示す通り、従来より使用されている紙パックを縦長に切り抜き、紙パックの内側から目盛り板３をはめ込み強力な接着剤で接合する、浮き用通水口７を通じて紙パック内部の飲料水が目盛り板３の内部に入水し、浮力により指標浮き球５が作動し、紙パック内部の残量を目盛り印字に指す。
【符号の説明】
【０００９】  １    既存の紙パック本体（仮定）
２    既存の紙パック栓（仮定）
３    目盛り板
４    目盛り板接着部
５    指標浮き球
６    目盛り印字
７    浮き用通水口
８    既存の紙パック頂点部（仮定）
９    目盛り板取り付け用接着剤
【図１】
0003162886.tif 000003
【図２】
0003162886.tif 000004
【図３】
0003162886.tif 000005
【手続補正書】
【提出日】平成22年6月25日(2010.6.25)
【手続補正１】
【補正対象書類名】実用新案登録請求の範囲
【補正対象項目名】全文
【補正方法】変更
【補正の内容】
【実用新案登録請求の範囲】
【請求項１】
紙パックを縦長に切り抜き、紙パックの内側から目盛り板３をはめ込み強力な接着剤で接合する、目盛り板３を有する特徴をもつ目盛り付紙パック。
【請求項２】
目盛り板３と紙パック内部の飲料水との通水を確保するため、目盛り板３の内側上部と下部の２箇所に浮き用通水口７を有する特徴をもつ請求項１に記載する目盛り付紙パック。
【請求項３】
紙パック内部の飲料水が減量するたびに、指標浮き球５が紙パック外側に設けた目盛り印字６の位置で止まり正確な残量が目視できるよう、目盛り板１内部に指標浮き球５を有する特徴をもつ請求項１に記載する目盛り付紙パック。
(57)【要約】【課題】構造が簡単で、取り扱い易い、錆び及び苔の除去と錆びと苔の発生を防ぐ、カルシウムネットを提供する。【解決手段】ナイロン網袋（１）の内側にフィルタ（３）それに保護ネット（４）に入れた、水酸化カルシウム（５）及び花崗斑岩（６）を特徴とする。【選択図】図２
0003162883.tif 000002
【実用新案登録請求の範囲】
【請求項１】
ナイロン網袋（１）を成形し、その内側にフィルタ（３）を袋状に挿入し、その内側に保護ネット（４）で包んだ水酸化カルシウム（５）を、その内側に保護ネット（４）で包んだ花崗斑岩（６）を挿入し、袋状にしたナイロン網袋の開口部分を縫い合わせ（２）を設けたことを特徴とするカルシウムネット。
【考案の詳細な説明】
【考案の詳細な悦明】
【技術分野】
【０００１】この考案は、水道用鋼管及び水槽と冷却装置における錆びと苔類の除去、並びに錆びと苔類の発生を防ぐと共に除菌を行うと同時に水のアルカリ計数の調整に関するものである。
【背景技術】
【０００２】従来よりも鉄錆び防止を目的としたアルカリ調整をする、アルカリ剤注入装置及び水の改質装置があった。
【考案が解決しようとする課題】
【０００３】これらには、次のような欠点があった。
（イ）  カルシウム材の注入に外部装置が必要で、取り扱いが難しかった。
（ロ）  錆び及び苔の除去機能は皆無であった。
（ハ）  除菌作用は皆無であった。
（ニ）  カルシウムのネット内が２袋だと溶け出しが悪かった。
本考案は以上の欠点を解決するために考案されたものである。
【課題を解決するための手段】
【０００４】ナイロン網袋（１）を成形し、その内側にフィルタ（３）を袋状に挿入し、その内側に保護ネット（４）で包んだ水酸化カルシウム（５）を、その内側に保護ネット（４）で包んだ花崗斑岩（６）を挿入し、袋状にしたナイロン網袋の開口部分を縫い合わせ部（２）を設けたことを特徴とするカルシウムネット。
【考案を実施するための形態】
以下、本考案の実施の形態を説明する。
（イ）  本考案の全体を包む、ナイロン網袋（１）を図３に示すように設け、改質したい水が、ナイロン網袋（１）フィルタ（３）保護ネット（４）水酸化カルシウム（６）保護ネット（４）花崗斑岩（６）に、接触及び通過するように設ける。
（ロ）  以上のように設けた、ナイロン網袋（１）に改質したい水全体を循環させる。
（ハ）  これにより、フィルタ（３）で錆びと苔類及び炭酸カルシウム化したカルシウムを除去する。
（ホ）  そして、水酸化カルシウム（６）に循環水が接触すると、カルシウムイオンとして溶けて循環水と共に水設備に廻り、鉄類に付着膜を生成し、錆びと菌類の発生を防ぐことができる。
（ヘ）  また、花崗斑岩（６）にて、ミネラルの補給と共にその重量にて、ナイロン網袋の移動を防ぐことができる。
【考案の効果】
【０００６】本考案のカルシウムネットにより、従来外部装置でカルシウム材を注入していたがこれを必要としなくなり、錆び及び苔の除去ができ、錆び及び苔の発生を防ぐことができた、又、カルシウムのネットを３袋にする事で溶け出しが早くなり効率が良くなった。
【図面の簡単な説明】
【図１】本考案の外観図
【図２】本考案の構造図
【図３】本考案の実施例を示す図
【符号の説明】１  ナイロン網袋
２  縫い合せ部
３  フィルタ
４  保護ネット
５  水酸化カルシウム
６  花崗斑岩
【図１】
0003162883.tif 000003
【図２】
0003162883.tif 000004
【図３】
0003162883.tif 000005